(57)【特許請求の範囲】
【請求項１】
複数種類の測定レンジでの測定対象の被測定量についての測定処理において使用される当該測定レンジ毎の補正値をそれぞれ記憶する記憶部と、
前記複数種類の測定レンジ用の電圧値の異なる基準電圧を出力する基準電圧出力部を有し、当該複数種類の測定レンジのうちから選択された１つの測定レンジで前記被測定量を示す測定電圧を測定して測定値を出力すると共に、当該複数種類の測定レンジのうちから選択された１つの測定レンジで当該選択された測定レンジ用の当該基準電圧を測定して当該選択された測定レンジで使用される前記補正値として出力する測定部と、
前記測定部に対して前記測定電圧および前記基準電圧を測定させる第１測定レンジとして前記複数種類の測定レンジのうちの１つを選択して当該測定部に前記測定値を出力させると共に前記補正値を出力させ、当該出力された補正値については第１補正値更新処理を実行して前記記憶部に記憶されている当該第１測定レンジの前記補正値を当該出力された補正値で更新し、当該測定値については前記測定処理を実行して前記記憶部に記憶されている当該第１測定レンジの前記補正値で当該測定値を補正して前記被測定量を算出する処理部とを備えている測定装置であって、
前記処理部は、前記第１測定レンジでの前記第１補正値更新処理および前記測定処理の実行の合間に、前記測定部に対して前記基準電圧を測定させる第２測定レンジとして前記複数種類の測定レンジのうちの当該第１測定レンジ以外の測定レンジを選択して当該測定部に前記補正値を出力させると共に前記記憶部に記憶されている当該第２測定レンジの前記補正値を当該出力された補正値で更新する第２補正値更新処理を、当該第２測定レンジとして選択する測定レンジを切り替えながら実行する測定装置。
【発明の詳細な説明】
【技術分野】
【０００１】
本発明は、複数種類の測定レンジのうちから選択された測定レンジで測定対象の被測定量を測定可能に構成された測定装置に関するものである。
【背景技術】
【０００２】
この種の測定装置は、測定対象の被測定量に応じて変化する測定電圧を選択された測定レンジで測定すると共にこの測定電圧を測定値に変換して出力する測定部を一般的に備えており、この測定部では、測定部を構成する増幅器（演算増幅器）に存在するオフセット電圧や増幅器のゲイン（増幅率）が測定環境の変化に応じて変動する。このため、この種の測定装置では、下記の特許文献１に開示されている測定装置のように、測定値を補正するための補正値（校正値）を測定レンジ毎に取得して記憶部に記憶しておき、測定部から出力された測定値を、この測定値を測定した測定レンジに対応した補正値で補正して最終的な測定値（被測定量）とすることで、オフセット電圧やゲインの変動による影響を低減するようにしている。
【０００３】
また、この種の測定装置の中には、下記の特許文献２に開示されている測定装置のように、測定値の連続測定中にゼロ点の変動（オフセット電圧の変動）の補正を自動的に行うようにしているものも存在している。この測定装置では、複数の測定レンジのうちの現在使用している測定レンジにおいて、この測定レンジに対応した補正値（ゼロ点用の補正値）のみを定期的に取得して更新（キャリブレーション）することで、オフセット電圧の変動による影響を除去している。
【先行技術文献】
【特許文献】
【０００４】
【特許文献１】特開２０１４−２２８５０３号公報（第３頁）
【特許文献２】特許第３２４４２１２号公報（第１−４頁、第１−８図）
【発明の概要】
【発明が解決しようとする課題】
【０００５】
ところが、上記した特許文献２に開示されている測定装置には、以下の改善すべき課題が存在する。すなわち、この測定装置は、上記したように、現在使用している測定レンジにおいて、この測定レンジに対応した補正値のみを更新する構成となっている。このため、この測定装置では、現在使用している測定レンジ以外の測定レンジで使用される補正値に関しては、この補正値が使用される測定レンジに切り替えられない限り、最新の補正値に更新されない。したがって、この測定装置には、現在使用している測定レンジが新たな測定レンジ（別の測定レンジ）に切り替わった直後において測定された測定値の補正に使用される補正値が古い値であるときがあることから、測定レンジの切替え直後における最終的な測定値（被測定量）の正確性に欠けるという課題が存在している。
【０００６】
本発明は、かかる改善すべき課題に鑑みてなされたものであり、測定レンジの切替え直後における被測定量の正確性を高め得る測定装置を提供することを主目的とする。
【課題を解決するための手段】
【０００７】
上記目的を達成すべく、請求項１記載の測定装置は、複数種類の測定レンジでの測定対象の被測定量についての測定処理において使用される当該測定レンジ毎の補正値をそれぞれ記憶する記憶部と、前記複数種類の測定レンジ用の電圧値の異なる基準電圧を出力する基準電圧出力部を有し、当該複数種類の測定レンジのうちから選択された１つの測定レンジで前記被測定量を示す測定電圧を測定して測定値を出力すると共に、当該複数種類の測定レンジのうちから選択された１つの測定レンジで当該選択された測定レンジ用の当該基準電圧を測定して当該選択された測定レンジで使用される前記補正値として出力する測定部と、前記測定部に対して前記測定電圧および前記基準電圧を測定させる第１測定レンジとして前記複数種類の測定レンジのうちの１つを選択して当該測定部に前記測定値を出力させると共に前記補正値を出力させ、当該出力された補正値については第１補正値更新処理を実行して前記記憶部に記憶されている当該第１測定レンジの前記補正値を当該出力された補正値で更新し、当該測定値については前記測定処理を実行して前記記憶部に記憶されている当該第１測定レンジの前記補正値で当該測定値を補正して前記被測定量を算出する処理部とを備えている測定装置であって、前記処理部は、前記第１測定レンジでの前記第１補正値更新処理および前記測定処理の実行の合間に、前記測定部に対して前記基準電圧を測定させる第２測定レンジとして前記複数種類の測定レンジのうちの当該第１測定レンジ以外の測定レンジを選択して当該測定部に前記補正値を出力させると共に前記記憶部に記憶されている当該第２測定レンジの前記補正値を当該出力された補正値で更新する第２補正値更新処理を、当該第２測定レンジとして選択する測定レンジを切り替えながら実行する。
【発明の効果】
【００１０】
請求項１記載の測定装置によれば、処理部が、第１測定レンジでの第１補正値更新処理および測定処理の実行の合間に、測定部に対して基準電圧を測定させる第２測定レンジとして複数種類の測定レンジのうちの第１測定レンジ以外の測定レンジを選択して測定部に補正値を出力させると共にこの補正値で記憶部に記憶されているこの第２測定レンジの補正値を更新する第２補正値更新処理を、この第２補正レンジとして選択する測定レンジを切り替えながら実行することにより、測定レンジの切り替え直後に実行される測定処理において、より新しい補正値を使用することができる結果、測定環境の変化の影響をより受け難い状態で、より正確な被測定量を算出することができる。
【００１１】
なお、処理部が、複数種類の測定レンジのうちの第１測定レンジを除くすべての測定レンジを第２測定レンジとして取り扱って第２補正値更新処理を実行することができたときには、いずれの測定レンジが第１測定レンジとして選択された場合であっても、測定レンジの切り替え直後に実行される測定処理において、より新しい補正値を常に使用することができる結果、測定環境の変化の影響をより受け難い状態で、より正確な被測定量を算出することができる。
【００１２】
また、処理部が第１補正値更新処理よりも低い頻度で第２補正値更新処理を実行するようにしたときには、この第１測定レンジでの測定処理において使用する補正値（第１測定レンジとして選択されている測定レンジにおいて使用する補正値）の更新頻度を高めることができる結果、より最新の補正値を使用してより正確に被測定量を算出することができる。
【図面の簡単な説明】
【００１３】
【図１】測定装置１の構成を示す構成図である。
【図２】測定装置１の動作を説明するためのタイミングチャートである。
【発明を実施するための形態】
【００１４】
以下、測定装置の実施の形態について、添付図面を参照して説明する。
【００１５】
まず、測定装置の一例である図１に示す測定装置１の構成について説明する。この測定装置１は、測定部２、処理部３、記憶部４および出力部５を備え、一対の入力端子６ａ，６ｂ間に入力される不図示の測定対象についての被測定量を示す測定電圧Ｖｉｎ（交流または直流電圧）に基づいて、この被測定量を測定する。この測定装置１では、入力端子６ｂがこの装置における基準電位（グランド）Ｇに規定されている部位に接続されているため、測定電圧Ｖｉｎは、この入力端子６ｂの電位（基準電位Ｇ）を基準として入力端子６ａに入力される。
【００１６】
この場合、測定装置１は、測定電圧Ｖｉｎが測定対象に流れる電流を電圧に変換した信号であるときには、この電流を被測定量として測定し、測定電圧Ｖｉｎが測定対象に生じている電圧を示す信号であるときには、この電圧を被測定量として測定する。また、測定装置１は、測定対象に流れる電流を電圧に変換した信号と、この電流が流れた際に測定対象の両端間に発生する電圧を示す信号とが測定電圧Ｖｉｎとして時分割で入力されるときには、測定対象に流れる電流と測定対象に発生する電圧とを被測定量として測定すると共に、測定した電流および電圧に基づいて算出される電力についても被測定量として測定する。本例では一例として、測定装置１は、測定対象に生じている電圧の電圧値Ｖｍを被測定量として測定する電圧測定装置であるものとし、一例として、測定電圧Ｖｉｎは電圧値Ｖｍと同じ電圧値の信号であるものとする。なお、測定電圧Ｖｉｎは、測定対象に生じている電圧を分圧して得られる信号であったり、測定対象に生じている電圧を昇圧して得られる信号であってもよいのは勿論である。
【００１７】
測定部２は、基準電圧出力部１１、第１スイッチ部１２、レンジアンプ１３、プリアンプ１４およびＡ／Ｄ変換部１５を備え、測定電圧Ｖｉｎを複数の測定レンジ（本例では一例として後述する３つの測定レンジＲａ，Ｒｂ，Ｒｃ（特に区別しないときには測定レンジＲともいう））のうちから選択（指定）された１つの測定レンジＲで測定して、この測定電圧Ｖｉｎの瞬時値を示す測定値（測定データ）Ｄｍを予め規定された周期Ｔ１（例えば、数百ミリ秒間隔）で処理部３に出力する。
【００１８】
基準電圧出力部１１は、一例として、測定レンジＲの数と同数のゲイン補正（ゲイン校正）用の基準電圧Ｖｒ（基準電位Ｇを基準とする電圧値が既知の電圧）と、オフセット補正（オフセット校正）用の１つの基準電圧Ｖｒｚ（電圧値が基準電位Ｇと同電位（ゼロボルト）の電圧）とを出力する。本例では、後述するように、測定レンジＲの数は一例として１０Ｖ，１Ｖ，０．１Ｖの３つであることから、基準電圧出力部１１は、１０Ｖの測定レンジＲａ用の基準電圧Ｖｒａ（１０Ｖまたは１０Ｖよりも若干低い電圧。例えば９Ｖ）、１Ｖの測定レンジＲｂ用の基準電圧Ｖｒｂ（１Ｖまたは１Ｖよりも若干低い電圧。例えば０．９Ｖ）、および０．１Ｖの測定レンジＲｃ用の基準電圧Ｖｒｃ（０．１Ｖまたは０．１Ｖよりも若干低い電圧。例えば０．０９Ｖ）を基準電圧Ｖｒとして出力する。
【００１９】
第１スイッチ部１２は、処理部３によってオン・オフ制御が行われる複数のスイッチ（本例では５つのスイッチＳＷ１，ＳＷ２，ＳＷ３，ＳＷ４，ＳＷ５）を備えている。また、第１スイッチ部１２は、入力端子６ａおよび基準電圧出力部１１における不図示の出力端子（基準電圧Ｖｒａ〜Ｖｒｃ，Ｖｒｚの各出力端子）と、レンジアンプ１３（の非反転入力端子）との間に配設されて、スイッチＳＷ１のみがオン状態に制御されることで測定電圧Ｖｉｎをレンジアンプ１３に選択的に出力し、スイッチＳＷ２のみがオン状態に制御されることで基準電圧Ｖｒａをレンジアンプ１３に選択的に出力し、スイッチＳＷ３のみがオン状態に制御されることで基準電圧Ｖｒｂをレンジアンプ１３に選択的に出力し、スイッチＳＷ４のみがオン状態に制御されることで基準電圧Ｖｒｃをレンジアンプ１３に選択的に出力し、スイッチＳＷ５のみがオン状態に制御されることで基準電圧Ｖｒｚをレンジアンプ１３に選択的に出力する。
【００２０】
レンジアンプ１３は、一例として、オペアンプ１３ａ、ゲインＧ１を設定するための２つの抵抗１３ｂ，１３ｃ、および処理部３によってオン・オフ制御が行われる複数のスイッチ（本例では４つのスイッチＳＷ６，ＳＷ７，ＳＷ８，ＳＷ９）を有する第２スイッチ部１３ｄを備えている。オペアンプ１３ａは、その非反転入力端子が第１スイッチ部１２の各出力端子に接続されている。各抵抗１３ｂ，１３ｃは、抵抗１３ｂの他端と抵抗１３ｃの一端とが接続されることで互いに直列接続されている。また、抵抗１３ｂ，１３ｃの直列回路は、抵抗１３ｂの一端がオペアンプ１３ａの出力端子に接続され、抵抗１３ｃの他端が基準電位Ｇに規定されることで、オペアンプ１３ａの出力端子と測定部２における基準電位Ｇに規定された部位との間に配設されている。
【００２１】
また、第２スイッチ部１３ｄの各スイッチＳＷ６〜ＳＷ９は、スイッチＳＷ６がオペアンプ１３ａの出力端子と反転入力端子との間に接続され、スイッチＳＷ７が抵抗１３ｃの一端とオペアンプ１３ａの反転入力端子との間に接続され、スイッチＳＷ８がオペアンプ１３ａの出力端子とプリアンプ１４の入力端子との間に接続され、スイッチＳＷ９が抵抗１３ｃの一端とプリアンプ１４の入力端子との間に接続されている。
【００２２】
この構成により、レンジアンプ１３は、スイッチＳＷ７，ＳＷ８のみがオン状態に制御されることでゲインＧ１がＧ１ｃ（＝１０）倍に設定（つまり、０．１Ｖの測定レンジＲｃに指定）され、スイッチＳＷ６，ＳＷ８のみがオン状態に制御されることでゲインＧ１がＧ１ｂ（＝１）倍に設定（つまり、１Ｖの測定レンジＲｂに指定）され、スイッチＳＷ６，ＳＷ９のみがオン状態に制御されることでゲインＧ１がＧ１ａ（＝０．１）倍に設定（つまり、１０Ｖの測定レンジＲａに指定）されて、第１スイッチ部１２において選択されて第１スイッチ部１２から出力される選択電圧Ｖ１を、設定されたゲインＧ１で増幅して（指定された測定レンジＲで測定して）第１増幅電圧Ｖ２としてプリアンプ１４に出力する。
【００２３】
プリアンプ１４は、レンジアンプ１３から出力される第１増幅電圧Ｖ２を予め規定されたゲインＧ２で増幅して第２増幅電圧Ｖ３としてＡ／Ｄ変換部１５に出力する。このプリアンプ１４のゲインＧ２は、第２増幅電圧Ｖ３の電圧値をＡ／Ｄ変換部１５の入力定格電圧に適合した電圧値とし得るように規定されている。
【００２４】
Ａ／Ｄ変換部１５は、プリアンプ１４から出力される第２増幅電圧Ｖ３を、規定の周期Ｔ２（例えば、上記した周期Ｔ１の１／２）でサンプリングすることにより、第２増幅電圧Ｖ３の瞬時値を示す電圧データＤ１を生成して処理部３に出力する。本例では後述するように、処理部３が、スイッチＳＷ１のみをオン状態に制御して測定電圧Ｖｉｎをレンジアンプ１３に出力させるという第１スイッチ部１２に対する制御（後述する測定処理Ｐｍの実行期間中に行う制御）と、スイッチＳＷ１以外のいずれか１つのスイッチのみをオン状態に制御して１種類の基準電圧Ｖｒ（基準電圧Ｖｒａ〜Ｖｒｃ，Ｖｒｚのいずれか１つ）を出力させるという第１スイッチ部１２に対する制御（後述する補正値更新処理Ｐｃの実行期間中に行う制御）とを周期Ｔ２で繰り返し実行する。
【００２５】
この構成により、測定部２は、測定電圧Ｖｉｎの瞬時値を示す電圧データＤ１を測定値Ｄｍとして周期Ｔ１で出力し、この測定値Ｄｍの出力タイミングと周期Ｔ２だけずれたタイミングで、基準電圧Ｖｒを示す電圧データＤ１を補正値Ｄｃとして周期Ｔ１で出力する。
【００２６】
処理部３は、例えばコンピュータで構成されて、測定部２から出力される測定値Ｄｍを、記憶部４に記憶されている各測定レンジＲで使用される個別の補正値Ｄｃ（各測定レンジＲに対応する補正値）のうちのこの測定値Ｄｍの測定に使用された測定レンジＲで使用される補正値Ｄｃで補正して測定電圧Ｖｉｎの電圧値Ｖｍを測定する測定処理Ｐｍ（図２参照）を実行する。
【００２７】
また、処理部３は、測定部２から出力される新たな補正値Ｄｃで、記憶部４に記憶されている各測定レンジＲで使用される個別の補正値Ｄｃのうちの測定部２においてこの新たな補正値Ｄｃの測定に使用された測定レンジＲで使用される補正値Ｄｃを更新する補正値更新処理Ｐｃを実行する。
【００２８】
なお、補正値Ｄｃとしては、ゲイン補正用の基準電圧Ｖｒａ〜Ｖｒｃのうちのいずれかを示す電圧データＤ１が用いられる補正値Ｄｃと、オフセット補正用の基準電圧Ｖｒｚを示す電圧データＤ１が用いられる補正値Ｄｃとがあり、この２つを区別するため、前者を補正値Ｄｃｒとし、後者を補正値Ｄｃｚとする。また、測定レンジＲａで使用される補正値Ｄｃｒ，Ｄｃｚをそれぞれ補正値Ｄｃｒａ，Ｄｃｚａとし、さらに補正値Ｄｃｒａを更新する補正値更新処理Ｐｃを補正値更新処理Ｐｃｒａとし、補正値Ｄｃｚａを更新する補正値更新処理Ｐｃを補正値更新処理Ｐｃｚａとする。同様にして、測定レンジＲｂで使用される補正値Ｄｃｒ，Ｄｃｚをそれぞれ補正値Ｄｃｒｂ，Ｄｃｚｂとし、さらに補正値Ｄｃｒｂを更新する補正値更新処理Ｐｃを補正値更新処理Ｐｃｒｂとし、補正値Ｄｃｚｂを更新する補正値更新処理Ｐｃを補正値更新処理Ｐｃｚｂとする。また測定レンジＲｃで使用される補正値Ｄｃｒ，Ｄｃｚをそれぞれ補正値Ｄｃｒｃ，Ｄｃｚｃとし、さらに補正値Ｄｃｒｃを更新する補正値更新処理Ｐｃを補正値更新処理Ｐｃｒｃとし、補正値Ｄｃｚｃを更新する補正値更新処理Ｐｃを補正値更新処理Ｐｃｚｃとする。
【００２９】
また、処理部３は、上記の測定処理Ｐｍおよび上記の各補正値更新処理Ｐｃの開始直後において、第１スイッチ部１２の各スイッチＳＷ１〜ＳＷ５に対するオン・オフ制御を実行して、測定電圧Ｖｉｎおよび各基準電圧Ｖｒのうちの各処理Ｐｍ，Ｐｃにおいて使用する１つの電圧を選択して選択電圧Ｖ１としてレンジアンプ１３に出力させる。また、処理部３は、測定処理Ｐｍにおいて、算出した測定電圧Ｖｉｎの電圧値Ｖｍと各測定レンジＲの電圧範囲とに基づいて、次の測定処理Ｐｍにおいて電圧値Ｖｍを算出するのに適した１つの測定レンジＲ（測定部２に対して測定値Ｄｍを測定させるための１つの測定レンジ。この測定レンジを以下では第１測定レンジＲともいう）を選択すると共に、レンジアンプ１３の各スイッチＳＷ６〜ＳＷ９に対するオン・オフ制御（レンジアンプ１３についての測定レンジＲの選択）を実行してこの第１測定レンジＲに切り替えるレンジ切替処理Ｐｒ（図２参照）を実行する。
【００３０】
また、処理部３は、このようにして複数種類の測定レンジＲ（本例では３つの測定レンジＲａ，Ｒｂ，Ｒｃ）のうちの１つの測定レンジＲを測定部２に対して測定値Ｄｍを出力させる第１測定レンジＲとして選択したときには、この第１測定レンジＲでの測定処理Ｐｍにおいてこの測定値Ｄｍに基づいて算出される電圧値Ｖｍがこの第１測定レンジＲの電圧範囲内となっている限りは、測定処理Ｐｍの実行時には現在の第１測定レンジＲを変更することなく維持して、測定部２にこの第１測定レンジＲでの測定値Ｄｍを出力させて電圧値Ｖｍを算出（測定）する。一方、補正値更新処理Ｐｃについては、処理部３は、第１測定レンジＲを維持して測定部２にこの第１測定レンジＲでの補正値Ｄｃを新たに出力させて、この新たな補正値Ｄｃで、記憶部４に記憶されているこの第１測定レンジＲで使用される補正値Ｄｃを更新する補正値更新処理Ｐｃを主として実行しつつ、測定部２に対して複数種類の測定レンジＲ（本例では３つの測定レンジＲａ，Ｒｂ，Ｒｃ）のうちの第１測定レンジＲ以外の第２測定レンジＲで補正値Ｄｃを出力させて（つまり、測定部２に対して第１測定レンジＲを一時的に第２測定レンジＲに切り替えさせると共にこの第２測定レンジＲに対応した基準電圧Ｖｒに一時的に切り替えさせることで、第２測定レンジＲでの補正値Ｄｃを出力させて）、この新たな補正値Ｄｃで、記憶部４に記憶されているこの第２測定レンジＲで使用される補正値Ｄｃを更新する補正値更新処理Ｐｃについても実行する。
【００３１】
すなわち、この第１測定レンジＲにおいて主として実行する上記の補正値更新処理Ｐｃを第１補正値更新処理Ｐｃとし、一時的に第２測定レンジＲに切り替えて実行する上記の補正値更新処理Ｐｃを第２補正値更新処理Ｐｃとしたときに、処理部３は、第１測定レンジＲでの第１補正値更新処理Ｐｃおよび測定処理Ｐｍの実行の合間に、第２補正値更新処理Ｐｃを実行する。
【００３２】
次に、各補正値更新処理Ｐｃにおいて記憶部４に更新記憶される測定レンジＲ毎の補正値Ｄｃと、測定値Ｄｍと、電圧値Ｖｍとの関係について説明する。
【００３３】
この測定装置１では、レンジアンプ１３を構成するオペアンプ１３ａには、オフセット電圧Ｖｏｓ１が存在し、プリアンプ１４には、オフセット電圧Ｖｏｓ２が存在している。この各オフセット電圧Ｖｏｓ１，Ｖｏｓ２、並びにレンジアンプ１３のゲインＧ１およびプリアンプ１４のゲインＧ２は、測定装置１が配置されている測定環境の変化に応じて変動する。このため、この測定装置１では、処理部３は、測定処理Ｐｍにおいて、測定部２から出力される測定値Ｄｍを、この測定値Ｄｍが測定された測定レンジＲで使用される補正値Ｄｃで補正することにより、測定環境の変化に応じて変動する各オフセット電圧Ｖｏｓ１，Ｖｏｓ２および各ゲインＧ１，Ｇ２の影響を受けない状態（影響を排除した状態）で測定電圧Ｖｉｎの電圧値Ｖｍを算出する。
【００３４】
具体的には、測定レンジＲａ（レンジアンプ１３のゲインＧ１がＧ１ａ）のときにおいて、第１スイッチ部１２のスイッチＳＷ１のみがオン状態に制御されたときには、プリアンプ１４からＡ／Ｄ変換部１５に出力される第２増幅電圧Ｖ３（このときの第２増幅電圧Ｖ３をＶ３ｍａとする）は、下記式（１）で表される。
Ｖ３ｍａ＝｛（Ｖｉｎ＋Ｖｏｓ１）×Ｇ１ａ＋Ｖｏｓ２｝×Ｇ２  ・・・（１）
【００３５】
また、この測定レンジＲａのときにおいて、第１スイッチ部１２のスイッチＳＷ５のみがオン状態に制御されたときには、プリアンプ１４からＡ／Ｄ変換部１５に出力される第２増幅電圧Ｖ３（このときの第２増幅電圧Ｖ３をＶ３ｚａとする）は、基準電圧Ｖｒｚがゼロボルトであることを考慮すると、下記式（２）で表される。
Ｖ３ｚａ＝｛（Ｖｒｚ＋Ｖｏｓ１）×Ｇ１ａ＋Ｖｏｓ２｝×Ｇ２
＝｛Ｖｏｓ１×Ｇ１ａ＋Ｖｏｓ２｝×Ｇ２  ・・・（２）
【００３６】
また、この測定レンジＲａのときにおいて、第１スイッチ部１２のスイッチＳＷ２のみがオン状態に制御されたときには、プリアンプ１４からＡ／Ｄ変換部１５に出力される第２増幅電圧Ｖ３（このときの第２増幅電圧Ｖ３をＶ３ｒａとする）は、下記式（３）で表される。
Ｖ３ｒａ＝｛（Ｖｒａ＋Ｖｏｓ１）×Ｇ１ａ＋Ｖｏｓ２｝×Ｇ２  ・・・（３）
【００３７】
この場合、（Ｖ３ｍａ−Ｖ３ｚａ）／（Ｖ３ｒａ−Ｖ３ｚａ）の式に上記式（１）〜（３）を代入して整理すると、
（Ｖ３ｍａ−Ｖ３ｚａ）／（Ｖ３ｒａ−Ｖ３ｚａ）＝Ｖｉｎ／Ｖｒａとなり、この式を変形すると、測定レンジＲａのときの測定電圧Ｖｉｎについての下記式（４）が導出される。
Ｖｉｎ＝（Ｖ３ｍａ−Ｖ３ｚａ）／（Ｖ３ｒａ−Ｖ３ｚａ）×Ｖｒａ  ・・・（４）
【００３８】
この式（４）は、基準電圧Ｖｒａが測定環境の変化の影響を受けないもの（定電圧）であるときには、処理部３が、第１スイッチ部１２の各スイッチＳＷ１〜ＳＷ５に対するオン・オフ制御を実行して上記の２つの第２増幅電圧Ｖ３ｚａ，Ｖ３ｒａについての電圧データＤ１を取得すると共にこの２つの電圧データＤ１をこの測定レンジＲａで使用される補正値Ｄｃ（補正値Ｄｃｚ，Ｄｃｒ、具体的には補正値Ｄｃｚａ，Ｄｃｒａ）として記憶部４に記憶し（つまり、補正値更新処理Ｐｃを実行し）、この各補正値Ｄｃｚａ，Ｄｃｒａの取得のときから測定環境の変化が無視できるとみなせる短期間内に、第１スイッチ部１２の各スイッチＳＷ１〜ＳＷ５に対するオン・オフ制御を実行して上記の第２増幅電圧Ｖ３ｍａについての電圧データＤ１を測定値Ｄｍとして取得し（つまり、測定処理Ｐｍを実行し）、かつこの取得した測定値Ｄｍおよび各補正値Ｄｃｚａ，Ｄｃｒａを上記の式（４）に、対応する第２増幅電圧Ｖ３ｍａ，Ｖ３ｚａ，Ｖ３ｒａとして基準電圧Ｖｒａと共に代入することにより、各オフセット電圧Ｖｏｓ１，Ｖｏｓ２および各ゲインＧ１，Ｇ２の影響を受けない状態（影響を排除した状態）で、測定レンジＲａのときの測定電圧Ｖｉｎ（つまり、測定電圧Ｖｉｎの電圧値Ｖｍ）を算出できることを示している。
【００３９】
また、測定レンジＲｂ（レンジアンプ１３のゲインＧ１がＧ１ｂ）のときにおいては、第１スイッチ部１２のスイッチＳＷ１のみがオン状態に制御されたときの第２増幅電圧Ｖ３（このときの第２増幅電圧Ｖ３をＶ３ｍｂとする）は、下記式（５）で表される。
Ｖ３ｍｂ＝｛（Ｖｉｎ＋Ｖｏｓ１）×Ｇ１ｂ＋Ｖｏｓ２｝×Ｇ２  ・・・（５）
【００４０】
また、この測定レンジＲｂのときにおいて、第１スイッチ部１２のスイッチＳＷ５のみがオン状態に制御されたときの第２増幅電圧Ｖ３（このときの第２増幅電圧Ｖ３をＶ３ｚｂとする）は、基準電圧Ｖｒｚがゼロボルトであることを考慮すると、下記式（６）で表される。
Ｖ３ｚｂ＝｛（Ｖｒｚ＋Ｖｏｓ１）×Ｇ１ｂ＋Ｖｏｓ２｝×Ｇ２
＝｛Ｖｏｓ１×Ｇ１ｂ＋Ｖｏｓ２｝×Ｇ２  ・・・（６）
【００４１】
また、この測定レンジＲｂのときにおいて、第１スイッチ部１２のスイッチＳＷ３のみがオン状態に制御されたときの第２増幅電圧Ｖ３（このときの第２増幅電圧Ｖ３をＶ３ｒｂとする）は、下記式（７）で表される。
Ｖ３ｒｂ＝｛（Ｖｒｂ＋Ｖｏｓ１）×Ｇ１ｂ＋Ｖｏｓ２｝×Ｇ２  ・・・（７）
【００４２】
この場合、（Ｖ３ｍｂ−Ｖ３ｚｂ）／（Ｖ３ｒｂ−Ｖ３ｚｂ）の式に上記式（５）〜（７）を代入して整理すると、測定レンジＲｂのときの測定電圧Ｖｉｎについての下記式（８）が導出される。
Ｖｉｎ＝（Ｖ３ｍｂ−Ｖ３ｚｂ）／（Ｖ３ｒｂ−Ｖ３ｚｂ）×Ｖｒｂ  ・・・（８）
【００４３】
したがって、測定レンジＲｂのときにおいても、基準電圧Ｖｒｂが測定環境の変化の影響を受けないもの（定電圧）であるときには、上記した測定レンジＲａのときと同様にして取得した測定値Ｄｍおよび各補正値Ｄｃｚ，Ｄｃｒ（具体的には補正値Ｄｃｚｂ，Ｄｃｒｂ）を上記の式（８）に、対応する第２増幅電圧Ｖ３ｍｂ，Ｖ３ｚｂ，Ｖ３ｒｂとして基準電圧Ｖｒｂと共に代入することにより、各オフセット電圧Ｖｏｓ１，Ｖｏｓ２および各ゲインＧ１，Ｇ２の影響を受けない状態（影響を排除した状態）で、測定レンジＲｂのときの測定電圧Ｖｉｎ（つまり、測定電圧Ｖｉｎの電圧値Ｖｍ）を算出できることを示している。
【００４４】
また、測定レンジＲｃ（レンジアンプ１３のゲインＧ１がＧ１ｃ）のときにおいては、第１スイッチ部１２のスイッチＳＷ１のみがオン状態に制御されたときの第２増幅電圧Ｖ３（このときの第２増幅電圧Ｖ３をＶ３ｍｃとする）は、下記式（９）で表される。
Ｖ３ｍｃ＝｛（Ｖｉｎ＋Ｖｏｓ１）×Ｇ１ｃ＋Ｖｏｓ２｝×Ｇ２  ・・・（９）
【００４５】
また、この測定レンジＲｃのときにおいて、第１スイッチ部１２のスイッチＳＷ５のみがオン状態に制御されたときの第２増幅電圧Ｖ３（このときの第２増幅電圧Ｖ３をＶ３ｚｃとする）は、基準電圧Ｖｒｚがゼロボルトであることを考慮すると、下記式（１０）で表される。
Ｖ３ｚｃ＝｛（Ｖｒｚ＋Ｖｏｓ１）×Ｇ１ｃ＋Ｖｏｓ２｝×Ｇ２
＝｛Ｖｏｓ１×Ｇ１ｃ＋Ｖｏｓ２｝×Ｇ２  ・・・（１０）
【００４６】
また、この測定レンジＲｃのときにおいて、第１スイッチ部１２のスイッチＳＷ４のみがオン状態に制御されたときの第２増幅電圧Ｖ３（このときの第２増幅電圧Ｖ３をＶ３ｒｃとする）は、下記式（１１）で表される。
Ｖ３ｒｃ＝｛（Ｖｒｃ＋Ｖｏｓ１）×Ｇ１ｃ＋Ｖｏｓ２｝×Ｇ２  ・・・（１１）
【００４７】
この場合、（Ｖ３ｍｃ−Ｖ３ｚｃ）／（Ｖ３ｒｃ−Ｖ３ｚｃ）の式に上記式（９）〜（１１）を代入して整理すると、測定レンジＲｃのときの測定電圧Ｖｉｎについての下記式（１２）が導出される。
Ｖｉｎ＝（Ｖ３ｍｃ−Ｖ３ｚｃ）／（Ｖ３ｒｃ−Ｖ３ｚｃ）×Ｖｒｃ  ・・・（１２）
【００４８】
したがって、測定レンジＲｃのときにおいても、基準電圧Ｖｒｃが測定環境の変化の影響を受けないもの（定電圧）であるときには、上記した測定レンジＲａのときと同様にして取得した測定値Ｄｍおよび各補正値Ｄｃｚ，Ｄｃｒ（具体的には補正値Ｄｃｚｃ，Ｄｃｒｃ）を上記の式（１２）に、対応する第２増幅電圧Ｖ３ｍｃ，Ｖ３ｚｃ，Ｖ３ｒｃとして基準電圧Ｖｒｃと共に代入することにより、各オフセット電圧Ｖｏｓ１，Ｖｏｓ２および各ゲインＧ１，Ｇ２の影響を受けない状態（影響を排除した状態）で、測定レンジＲｃのときの測定電圧Ｖｉｎ（つまり、測定電圧Ｖｉｎの電圧値Ｖｍ）を算出できることを示している。
【００４９】
記憶部４は、例えば、ＲＡＭなどの半導体メモリやハードディスク装置で構成されて、上記した各測定レンジＲａ〜Ｒｃに対応した測定電圧Ｖｉｎについての各式（４），（８），（１２）、および各基準電圧Ｖｒａ，Ｖｒｂ，Ｖｒｃの既知の電圧値Ｖｒａ，Ｖｒｂ，Ｖｒｃ（対応する電圧と同じ符号を付すものとする）が記憶されている。また、記憶部４には、各測定レンジＲで使用される個別の補正値Ｒｃ（具体的には、上記したような、測定レンジＲａで使用される補正値Ｄｃｚａ，Ｄｃｒａ、測定レンジＲｂで使用される補正値Ｄｃｚｂ，Ｄｃｒｂ、測定レンジＲｃで使用される補正値Ｄｃｚｃ，Ｄｃｒｃ）が更新記憶される。また、記憶部４には、測定値Ｄｍおよび電圧値Ｖｍが記憶される。なお、本例では、基準電圧Ｖｒｚの電圧値Ｖｒｚはゼロボルトであることから、記憶部４に電圧値Ｖｒｚを記憶させず、また電圧値Ｖｒｚを消去した上記のＶ３ｚａ，Ｖ３ｚｂ，Ｖ３ｚｃについての各式（２），（６），（１０）を用いて上記の各式（４），（８），（１２）を導出しているが、電圧値Ｖｒｚはゼロボルト以外の電圧値であってもよい。この場合には、電圧値Ｖｒｚは記憶部４に記憶され、また上記の各式（４），（８），（１２）は、基準電圧Ｖｒｚを含む上記したＶ３ｚａ，Ｖ３ｚｂ，Ｖ３ｚｃについての各式を用いて導出されたものとなる。
【００５０】
出力部５は、一例として液晶ディスプレイなどの表示装置で構成されて、処理部３で測定された測定電圧Ｖｉｎの電圧値Ｖｍを画面上に表示させる。なお、出力部５については、表示装置とする構成に代えて、外部装置とデータ通信するインターフェース回路やリムーバブルメディアを装着し得るインターフェース回路とする構成として、この電圧値Ｖｍを外部装置に送信したり、リムーバブルメディアに記憶させたりすることもできる。
【００５１】
次に、測定装置１の動作について図２を参照して説明する。
【００５２】
処理部３は、上記したように、Ａ／Ｄ変換部１５のサンプリング周期（周期Ｔ２）に同期した周期Ｔ１で測定処理Ｐｍを実行して、測定部２に対して測定電圧Ｖｉｎの瞬時値を示す電圧データＤ１を測定値Ｄｍとして出力させると共に、既に選択した第１測定レンジＲで使用される補正値Ｄｃとこの第１測定レンジＲで使用される測定電圧Ｖｉｎ（電圧値Ｖｍ）を算出するための式（上記の式（４），（８），（１２）のいずれか）とを読み出して、電圧値Ｖｍを算出して記憶部４に記憶させる。
【００５３】
この際に、現在の第１測定レンジＲで使用される補正値Ｄｃについては、処理部３が測定処理Ｐｍを実行する周期Ｔ１に対して周期Ｔ２の期間分の時間だけずれたタイミングで第１補正値更新処理Ｐｃを周期Ｔ１で実行するため、最新の状態に定期的に更新されている。このため、処理部３は、測定レンジＲの切り替え直後に実行される測定処理Ｐｍにおいて電圧値Ｖｍを算出する場合を除き、この後の測定処理Ｐｍでは、測定値Ｄｍとこの最新の補正値Ｄｃとに基づいて、測定環境の変化の影響を極めて受け難い状態で、電圧値Ｖｍを正確に算出することが可能となっている。
【００５４】
また、処理部３は、測定処理Ｐｍを実行する周期Ｔ２の期間内において、この算出した電圧値Ｖｍを出力部５に出力して表示させると共に、現在の第１測定レンジＲの電圧範囲と比較して、必要なときにはレンジ切替処理Ｐｒを実行して、第１測定レンジＲとして選択している現在の測定レンジＲ以外の他の測定レンジＲを新たな第１測定レンジＲとして選択する（測定部２に対する測定レンジＲの切替制御を実行する）。
【００５５】
また、処理部３は、上記したように、第１測定レンジＲでの第１補正値更新処理Ｐｃおよび測定処理Ｐｍの実行の合間に、第１補正値更新処理Ｐｃに代えて第２補正値更新処理Ｐｃ（図２中において破線の枠で囲まれた状態で示されている処理）を実行する。この第２補正値更新処理Ｐｃでは、処理部３は、測定部２に対して複数種類の測定レンジＲのうちの第１測定レンジＲ以外の第２測定レンジＲで補正値Ｄｃを出力させて（つまり、測定部２に対して第１測定レンジＲを一時的に第２測定レンジＲに切り替えさせると共にこの第２測定レンジＲに対応した基準電圧Ｖｒに一時的に切り替えさせることで、第２測定レンジＲでの補正値Ｄｃを出力させて）、この新たな補正値Ｄｃで、記憶部４に記憶されているこの第２測定レンジＲで使用される補正値Ｄｃを更新する。これにより、第１測定レンジＲで測定処理Ｐｍを実行している期間において、この第１測定レンジＲで使用される補正値Ｄｃだけでなく、第１測定レンジＲ以外の第２測定レンジＲで使用される補正値Ｄｃについても更新される。
【００５６】
具体的に、図２に示す測定レンジＲｃを測定処理Ｐｍのための第１測定レンジＲとした最初の期間での動作を例に挙げて説明すると、処理部３は、同図中の最初の測定処理Ｐｍ（斜線を付した測定処理Ｐｍ）を実行する周期Ｔ２の期間では、この測定処理Ｐｍよりも前に実行された第１補正値更新処理Ｐｃ（補正値更新処理Ｐｃｚｃ，Ｐｃｒｃ）において記憶部４に更新記憶された最新の補正値Ｄｃとしての補正値Ｄｃｚｃ，Ｄｃｒｃと、この測定処理Ｐｍにおいて測定部２から取得した測定値Ｄｍと、記憶部４に記憶されている測定レンジＲｃに対応する基準電圧Ｖｒｃの電圧値Ｖｒｃおよび測定電圧Ｖｉｎ（電圧値Ｖｍ）の算出式（１２）とに基づいて、電圧値Ｖｍを算出して記憶部４に記憶させる。また、処理部３は、この測定処理Ｐｍを実行する周期Ｔ２の期間において、算出（測定）した電圧値Ｖｍを出力部５に出力して表示させる。以後、処理部３は、この測定レンジＲｃを測定処理Ｐｍのための第１測定レンジＲとする期間において、周期Ｔ１でこの測定処理Ｐｍを繰り返し実行する。
【００５７】
また、処理部３は、上記の測定処理Ｐｍを実行する周期Ｔ２の期間の間に位置する周期Ｔ２の期間（周期Ｔ１で到来する周期Ｔ２の期間）において、第１補正値更新処理Ｐｃおよび第２補正値更新処理Ｐｃのいずれかを実行して、記憶部４に記憶されているすべての測定レンジＲａ〜Ｒｃで使用する補正値Ｄｃを更新記憶する。この図２に示す例では、処理部３は、一例として、第１補正値更新処理Ｐｃとしての補正値更新処理Ｐｃｚｃ（補正値Ｄｃｚｃを更新する処理）、第１補正値更新処理Ｐｃとしての補正値更新処理Ｐｃｒｃ（補正値Ｄｃｒｃを更新する処理）、第２補正値更新処理Ｐｃとしての補正値更新処理Ｐｃｚａ（補正値Ｄｃｚａを更新する処理）、第１補正値更新処理Ｐｃとしての補正値更新処理Ｐｃｚｃ、第１補正値更新処理Ｐｃとしての補正値更新処理Ｐｃｒｃ、第２補正値更新処理Ｐｃとしての補正値更新処理Ｐｃｒａ（補正値Ｄｃｒａを更新する処理）、・・・、第２補正値更新処理Ｐｃとしての補正値更新処理Ｐｃｚｂ（補正値Ｄｃｚｂを更新する処理）、第１補正値更新処理Ｐｃとしての補正値更新処理Ｐｃｚｃ、第１補正値更新処理Ｐｃとしての補正値更新処理Ｐｃｒｃ、第２補正値更新処理Ｐｃとしての補正値更新処理Ｐｃｒｂ（補正値Ｄｃｒｂを更新する処理）、第１補正値更新処理Ｐｃとしての補正値更新処理Ｐｃｚｃ、・・・というように、第１補正値更新処理Ｐｃと共に、第２補正値更新処理Ｐｃを第１補正値更新処理Ｐｃよりも低い頻度で実行して、すべての測定レンジＲａ〜Ｒｃで使用する補正値Ｄｃを更新記憶する。
【００５８】
この構成により、この測定レンジＲｃを測定処理Ｐｍのための第１測定レンジＲとする期間における斜線を付した２つ目の測定処理Ｐｍを実行する周期Ｔ２の期間内において、処理部３が、算出した電圧値Ｖｍと現在の第１測定レンジＲの電圧範囲との比較の結果、第１測定レンジＲとして選択している現在の測定レンジＲｃを他の測定レンジＲｂに切り替える必要が生じたと判断してレンジ切替処理Ｐｒを実行したときには、この測定レンジＲｂを新たに測定処理Ｐｍのための第１測定レンジＲとする期間が開始する。
【００５９】
この測定レンジＲｂを測定処理Ｐｍのための第１測定レンジＲとする期間でも、処理部３は、この期間の最初の周期Ｔ２の期間において第１補正値更新処理Ｐｃとしての補正値更新処理Ｐｃｚｂ（補正値Ｄｃｚｂを更新する処理）を実行し、次の周期Ｔ２の期間において実行する測定処理Ｐｍでは、直前に実行された第１補正値更新処理Ｐｃ（補正値更新処理Ｐｃｚｂ）において記憶部４に更新記憶された最新の補正値Ｄｃとしての補正値Ｄｃｚｂと、直前の測定レンジＲｃを測定処理Ｐｍのための第１測定レンジＲとする期間において実行された第１補正値更新処理Ｐｃ（補正値更新処理Ｐｃｒｂ）において記憶部４に更新記憶された補正値Ｄｃとしての補正値Ｄｃｒｂと、この測定処理Ｐｍにおいて測定部２から取得した測定値Ｄｍと、記憶部４に記憶されている測定レンジＲｂに対応する基準電圧Ｖｒｂの電圧値Ｖｒｂおよび測定電圧Ｖｉｎ（電圧値Ｖｍ）の算出式（８）とに基づいて、電圧値Ｖｍを算出して記憶部４に記憶させる。また、処理部３は、この測定処理Ｐｍを実行する周期Ｔ２の期間において、算出（測定）した電圧値Ｖｍを出力部５に出力して表示させる。
【００６０】
以後、処理部３は、必要に応じてレンジ切替処理Ｐｒを実行することで測定処理Ｐｍのための第１測定レンジＲを測定レンジＲａ〜Ｒｃのうちのいずれかに切り替えつつ、測定レンジＲａ〜Ｒｃのうちのいずれが測定処理Ｐｍのための第１測定レンジＲとなる期間においても、測定処理Ｐｍと共に、第１補正値更新処理Ｐｃおよび第２補正値更新処理Ｐｃを実行して、記憶部４に記憶されているすべての測定レンジＲａ〜Ｒｃで使用する補正値Ｄｃを更新記憶する。
【００６１】
このため、この測定装置１では、測定処理Ｐｍのための第１測定レンジＲを新たな測定レンジＲに切り替えた直後に実行される測定処理Ｐｍにおいても、処理部３は、測定値Ｄｍの補正のための補正値Ｄｃとして、最新ではないことがあるものの古くとも直前の測定レンジＲを測定処理Ｐｍのための第１測定レンジＲとしていた期間において更新されていた補正値Ｄｃを使用することが可能となっている。これにより、処理部３は、直前の測定レンジＲを測定処理Ｐｍのための第１測定レンジＲとしていた期間において他の測定レンジＲで使用される補正値Ｄｃについて全く更新しない構成、つまり、測定処理Ｐｍのための第１測定レンジＲとして選択されている測定レンジＲにおいてはこの測定レンジＲで使用される補正値Ｄｃだけしか更新しない構成と比較して、測定レンジＲの切り替え直後に実行される測定処理Ｐｍにおいて、より新しい補正値Ｄｃを使用することができる結果、測定環境の変化の影響をより受け難い状態で、より正確な電圧値Ｖｍを算出することが可能となっている。なお、この電圧値Ｖｍの算出に際しては、区間平均（区間単純平均）を実行して電圧値Ｖｍを算出することもできる。
【００６２】
このように、この測定装置１によれば、処理部３が、第１測定レンジでの第１補正値更新処理Ｐｃおよび測定処理Ｐｍの実行の合間に、測定部２に対して複数種類の測定レンジ（本例では３つの測定レンジＲａ〜Ｒｃ）のうちのこの第１測定レンジ以外の第２測定レンジ（第１測定レンジとして選択されている測定レンジＲを除くすべての測定レンジＲ）で補正値Ｄｃを出力させると共にこの補正値Ｄｃで記憶部４に記憶されているこの第２測定レンジの補正値Ｄｃを更新する第２補正値更新処理Ｐｃを実行することにより、いずれの測定レンジＲが第１測定レンジとして選択された場合であっても、測定レンジＲの切り替え直後に実行される測定処理Ｐｍにおいて、より新しい補正値Ｄｃを常に使用することができる結果、測定環境の変化の影響をより受け難い状態で、より正確な電圧値Ｖｍを算出することができる。
【００６３】
なお、第１測定レンジとして選択されている測定レンジＲを除くすべての測定レンジＲを第２測定レンジとして測定部２に対して補正値Ｄｃを出力させることで、第１測定レンジとして選択されている測定レンジＲを除くすべての測定レンジＲで使用される補正値Ｄｃを更新する上記の好ましい構成に代えて、第１測定レンジとして選択されている測定レンジＲの両隣の測定レンジＲ（測定レンジＲｂが現在選択されている測定レンジのときには測定レンジＲａ，Ｒｃ、測定レンジＲａが現在選択されている測定レンジのときには本例では測定レンジＲｂしかないことからこの測定レンジＲｂ、測定レンジＲｃが現在選択されている測定レンジのときにも本例では測定レンジＲｂしかないことからこの測定レンジＲｂ）だけを第２測定レンジとして測定部２に対して補正値Ｄｃを出力させることで、この両隣の測定レンジＲで使用される補正値Ｄｃだけを更新する構成を採用することもできる。この構成においても、第１測定レンジとして選択されている測定レンジＲの次に第１測定レンジとして選択される可能性の高い両隣の測定レンジＲで使用される補正値Ｄｃを更新することができる結果、第１測定レンジとして選択されている測定レンジＲを新たな測定レンジＲに切り替えた直後に実行される測定処理Ｐｍにおいて、より新しい補正値Ｄｃを使用できる可能性を高めることができる結果、測定環境の変化の影響をより受け難い状態で、より正確な電圧値Ｖｍを算出し得る可能性を高めることができる。
【００６４】
さらに、この測定装置１によれば、処理部３が、第１測定レンジでの第１補正値更新処理Ｐｃおよび測定処理Ｐｍの実行の合間に、第２補正値更新処理Ｐｃを第１補正値更新処理Ｐｃよりも低い頻度で実行することにより、この第１測定レンジでの測定処理Ｐｍにおいて使用する補正値Ｄｃ（第１測定レンジとして選択されている測定レンジＲにおいて使用する補正値Ｄｃ）の更新頻度を高めることができる結果、より最新の補正値Ｄｃを使用してより正確に電圧値Ｖｍを算出することができる。
【００６５】
なお、第１測定レンジとして選択されている測定レンジＲを新たな測定レンジＲに切り替えた直後に実行される測定処理Ｐｍにおいて、より新しい補正値Ｄｃを使用できるようにするため、第１補正値更新処理Ｐｃに対する第２補正値更新処理Ｐｃの頻度を上記の例よりも高めて実行する構成を採用することもできる。例えば、図２に示す測定レンジＲａを第１測定レンジＲとする期間において、上記の例では、第１補正値更新処理Ｐｃである補正値更新処理Ｐｃｚａ、第１補正値更新処理Ｐｃである補正値更新処理Ｐｃｒａ、第２補正値更新処理Ｐｃである補正値更新処理Ｐｃｚｂ、第１補正値更新処理Ｐｃである補正値更新処理Ｐｃｚａ、第１補正値更新処理Ｐｃである補正値更新処理Ｐｃｒａ、第２補正値更新処理Ｐｃである補正値更新処理Ｐｃｒｂ、・・・という頻度で第２補正値更新処理Ｐｃを実行しているが、第１補正値更新処理Ｐｃである補正値更新処理Ｐｃｚａ，Ｐｃｒａ、第２補正値更新処理Ｐｃである補正値更新処理Ｐｃｚｂ，Ｐｃｒｂ、第１補正値更新処理Ｐｃである補正値更新処理Ｐｃｚａ，Ｐｃｒａ、第２補正値更新処理Ｐｃである補正値更新処理Ｐｃｚｃ，Ｐｃｒｃ、・・・というより高い頻度で第２補正値更新処理Ｐｃを実行する構成や、第１補正値更新処理Ｐｃである補正値更新処理Ｐｃｚａ，Ｐｃｒａ、第２補正値更新処理Ｐｃである補正値更新処理Ｐｃｚｂ，Ｐｃｒｂ、第２補正値更新処理Ｐｃである補正値更新処理Ｐｃｚｃ，Ｐｃｒｃ、第１補正値更新処理Ｐｃである補正値更新処理Ｐｃｚａ，Ｐｃｒａ、・・・というようにさらに高い頻度で第２補正値更新処理Ｐｃを実行する構成を採用することもできる。
【００６６】
また、第１測定レンジとして選択されている測定レンジＲにおいて実行される測定処理Ｐｍでの電圧値Ｖｍの正確性をより高めるために、第１補正値更新処理Ｐｃに対する第２補正値更新処理Ｐｃの頻度を上記の例よりも低めて実行する構成を採用することもできる。
【００６７】
また、測定レンジＲの数を３つとした例について説明したが、測定レンジＲの数は複数であればよく、測定レンジＲの数に合った基準電圧Ｖｒ（基準電圧Ｖｒｚを除く基準電圧）とすることで、２つまたは４つ以上とすることもできる。
【符号の説明】
【００６８】
１  測定装置
２  測定部
３  処理部
４  記憶部
Ｄｃ  補正値
Ｄｍ  測定値
Ｐｃ  補正値更新処理（第１補正値更新処理、第２補正値更新処理）
Ｐｍ  測定処理
Ｒ，Ｒａ〜Ｒｃ  測定レンジ
Ｖｉｎ  測定電圧
Ｖｍ  電圧値
Ｖｒ，Ｖｒａ，Ｖｒｂ，Ｖｒｃ，Ｖｒｚ  基準電圧
【図１】
0006605299.tif 000002
【図２】
0006605299.tif 000003